(57)【要約】  たばこパック（１００）が、上面と、底面と、上面を底面へと接続する複数の長手方向の面とを有する箱を備えている。  長手方向の面は、前面（１０３）と、前面（１０３）の一方の側に位置し、第１の長手方向の折り目（１０６ａ）によって前面に取り付けられている第１の斜面（１０６）と、前面の他方の側に位置し、第２の長手方向の折り目（１０６ｂ）によって前面に取り付けられている第２の斜面（１０６）とを含む。  第１および第２の折り目が、前面が長手方向で少なくとも部分的に凹状に曲がるように、前面の中央から遠ざかるように湾曲している。  たばこパックの上面の外周が、この上面と前面および後面の少なくとも一方との縁に沿って位置する少なくとも１つの凹状に湾曲した部分を備え、この少なくとも１つの凹状に湾曲した部分が、前面および後面の少なくとも一方をたばこパックの上部に向かって内側へと曲げるように構成されている。【選択図】  図１
2013527089.tif 000002
【特許請求の範囲】
【請求項１】
上面と、底面と、前記上面を前記底面へと接続する複数の長手方向の面とを有する箱を備えており、
前記長手方向の面が、前面と、前記前面の一方の側に位置し、第１の長手方向の折り目によって前面へと取り付けられている第１の斜面と、前記前面の他方の側に位置し、第２の長手方向の折り目によって前面へと取り付けられている第２の斜面とを含んでいるたばこパックにおいて、
前記第１の折り目および第２の折り目が、前記前面を長手方向で少なくとも部分的に凹状に曲げるように、前記前面の中央から遠ざかるように湾曲していることを特徴とするたばこパック。
【請求項２】
前記第１の折り目および第２の折り目が、前記前面を横方向で凹状に曲げるように、前記前面の中央から遠ざかるように湾曲していることを特徴とする請求項１に記載のたばこパック。
【請求項３】
真っ直ぐな後面をさらに備えており、前記複数の長手方向の面が、前記第１の斜面を前記真っ直ぐな後面へと接続するように配置された第１の複数の側面と、前記第１の斜面を真っ直ぐな後面へと接続するように配置された第２の複数の側面とをさらに含んでいることを特徴とする請求項１または請求項２に記載のたばこパック。
【請求項４】
前記前面が、前記上面に実質的に隣接する位置から底面に実質的に隣接する領域まで長手方向で凹状に曲がっていることを特徴とする請求項１乃至請求項３のいずれか１つに記載のたばこパック。
【請求項５】
前記箱が、前記たばこパックの上部に位置する上面と、前記たばこパックの下部に位置する底面と、前記上面を底面へと接続する複数の長手方向の面とをさらに備えており、前記たばこパックの前記長手方向の面のうちの１つが、前記たばこパックの前面であり、前記長手方向の面のうちの別の１つが、前記たばこパックの後面であり、
前記たばこパックの上面の外周が、該上面と前面および後面の少なくとも一方との縁に沿って位置する少なくとも１つの凹状に湾曲した部分を備えており、該少なくとも１つの凹状に湾曲した部分が、前記前面および後面の少なくとも一方をたばこパックの上部に向かって内側へと曲げるように構成されていることを特徴とする請求項１乃至請求項４のいずれか１つに記載のたばこパック。
【請求項６】
前記箱の前記長手方向の面のうちの少なくとも１つにヒンジでつながった蓋をさらに備えることを特徴とする請求項１乃至請求項５のいずれか１つに記載のたばこパック。
【請求項７】
請求項１乃至請求項６のいずれか１つに記載のたばこパックを製作するための素材。
【請求項８】
たばこパックであって、
該たばこパックの上部に位置する上面と、前記たばこパックの下部に位置する底面と、前記上面を底面へと接続する複数の長手方向の面とを有する箱を備えており、前記たばこパックの前記長手方向の面のうちの１つが、前記たばこパックの前面であり、前記長手方向の面のうちの別の１つが、前記たばこパックの後面であり、
前記たばこパックの上面の外周が、該上面と前面および後面の少なくとも一方との縁に沿って位置する少なくとも１つの凹状に湾曲した部分を備えており、該少なくとも１つの凹状に湾曲した部分が、前記前面および後面の少なくとも一方をたばこパックの上部に向かって内側へと曲げるように構成されていることを特徴とするたばこパック。
【請求項９】
前記箱の上面と前面との縁に沿って位置する第１の凹状に湾曲した部分と、前記箱の上面と後面との縁に沿って位置する第２の凹状に湾曲した部分とを有しており、前記第１の凹状に湾曲した部分および第２の凹状に湾曲した部分が、それぞれ前面および後面をたばこパックの上部に向かって内側へと曲げるように構成されていることを特徴とする請求項８に記載のたばこパック。
【請求項１０】
前記凹状に湾曲した部分が、複数あり、それぞれが同じ寸法であることを特徴とする請求項８または請求項９に記載のたばこパック。
【請求項１１】
前記箱の前記長手方向の面のうちの少なくとも１つにヒンジでつながった蓋をさらに備えることを特徴とする請求項８乃至請求項１０のいずれか１つに記載のたばこパック。
【請求項１２】
請求項８乃至請求項１１のいずれか１つに記載のたばこパックを製作するための素材。
【発明の詳細な説明】
【技術分野】
【０００１】
本発明は、広くには、たばこ製品の包装の分野に関する。
特には、本発明は、新しい種類のたばこパックおよびその素材に関する。
【背景技術】
【０００２】
金属、または、ポリマーなどの硬質材料で作られた再使用可能なたばこケースが、何十年も前から知られている。
典型的には、これらのハードシェルケースに、紙製のソフトシェルパックにて販売されたたばこが詰められる。
ソフトシェルパックは、特にはユーザがそれらのソフトシェルパックを衣服のポケットに入れて持ち運ぶ状況において、たばこに適切な保護を提供することができない。
【０００３】
これらのハードシェルケースは、たばこの保護を向上させるとともに、適切に形作られたならば、衣服のポケットでの持ち運びをユーザにとって快適にすることもできる。
他方で、これらのハードシェルケースの詰め替えの必要性は、ユーザにとって厄介かつ不便になりうる。
【０００４】
これらの問題に対処するために、ボール紙製のたばこパックが開発されている。
ボール紙製のたばこパックの狙いは、ハードシェルパックの丈夫さをソフトシェルパックの使い捨て性と便利さとを組み合わせることにある。
典型的には、これらのたばこパックは顕著なエッジを有する丈夫なボール紙で製作され、上部から開いて内部のたばこへのユーザのアクセスを可能にする蓋を備えている。
これらのボール紙製のたばこパックは、にソフトシェルパックおよびハードシェルケースの両方に対して利点を有しているが、両者と比べて大きな欠点、すなわち、快適さにおける欠点をもたらしている。
【０００５】
ソフトシェルパックは、たばこをあまり保護することができないが、衣類のポケットにて持ち運ぶうえで快適であり、ハードシェルケースも、上述のように、適切に形作られたならば、やはり快適であることができる。
対照的に、公知のボール紙製のたばこパックは、構造的な完全性を最大にするように形作られ、結果として多くの場合に単純な直方体であり、ユーザにとってきわめて快適性に欠けるものとなっている。
【０００６】
さらに、これらのボール紙製のたばこパックは、角張った形状ゆえに、特にはたばこパックの角が直線的でない空間（ユーザの衣服のポケットの内側によって定められる空間など）によって拘束される場合に、変形を被りやすい。
そのような変形は、たばこパックの押し上げ式の蓋がたばこパックの本体に対してわずかに開いて位置し、たばこパックが静止状態において完全に閉じることができなくなる「スマイリング（ｓｍｉｌｉｎｇ）」として知られる現象につながる可能性がある。
衣服の中で持ち運ばれるときに、たばこパックに含まれる自由なたばこが、この「スマイリング」作用によって生じた開口を通ってユーザのポケットへと達する可能性がある。
【発明の概要】
【発明が解決しようとする課題】
【０００７】
したがって、構造的に丈夫でありながら、ユーザの衣服のポケットにて快適に持ち運ぶこともできるボール紙製のたばこパックについて、明らかなニーズが存在する。
【課題を解決するための手段】
【０００８】
先行技術が取り組む課題を解決するために、本発明は、上面と、底面と、上面を底面へと接続する複数の長手方向の面とを有する箱を備えており、長手方向の面が、前面と、前面の一方の側に位置し、第１の長手方向の折り目によって前面へと取り付けられている第１の斜面と、前面の他方の側に位置し、第２の長手方向の折り目によって前面へと取り付けられている第２の斜面とを含んでいるたばこパックであって、第１の折り目および第２の折り目が、前面が長手方向において少なくとも部分的に凹状に曲がるように、前面の中央から遠ざかるように湾曲していることを特徴とするたばこパックを提供する。
【０００９】
第１の折り目および第２の折り目が、前面が横方向において凹状に曲がるように、前面の中央から遠ざかるように湾曲していることが好ましい。
【００１０】
このたばこパックが、真っ直ぐな後面をさらに備え、複数の長手方向の面が、第１の斜面を真っ直ぐな後面へと接続するように配置された第１の複数の側面と、第１の斜面を真っ直ぐな後面へと接続するように配置された第２の複数の側面とをさらに含んでいることが好ましい。
【００１１】
前面が、上面に実質的に隣接する位置から底面に実質的に隣接する領域まで長手方向において凹状に曲がっていることが好ましい。
【００１２】
好ましくは、箱が、このたばこパックの上部に位置する上面と、このたばこパックの下部に位置する底面と、上面を底面へと接続する複数の長手方向の面とをさらに備え、このたばこパックの長手方向の面のうちの１つが、このたばこパックの前面であり、長手方向の面のうちの別の１つが、このたばこパックの後面であり、このたばこパックが、このたばこパックの上面の外周が、この上面と前面および後面の少なくとも一方との縁に沿って位置する少なくとも１つの凹状に湾曲した部分を備えており、この少なくとも１つの凹状に湾曲した部分が、前面および後面の少なくとも一方をこのたばこパックの上部に向かって内側へと曲げるように構成されていることを特徴とする。
【００１３】
このたばこパックが、箱の長手方向の面のうちの少なくとも１つにヒンジでつながった蓋をさらに備えていることが好ましい。
【００１４】
さらに本発明は、上述のたばこパックを製作するための素材を提供する。
【００１５】
さらに本発明は、たばこパックであって、このたばこパックの上部に位置する上面と、このたばこパックの下部に位置する底面と、上面を底面へと接続する複数の長手方向の面とを有する箱を備えており、このたばこパックの長手方向の面のうちの１つが、このたばこパックの前面であり、長手方向の面のうちの別の１つが、このたばこパックの後面であり、このたばこパックの上面の外周が、この上面と前面および後面の少なくとも一方との縁に沿って位置する少なくとも１つの凹状に湾曲した部分を備えており、この少なくとも１つの凹状に湾曲した部分が、前面および後面の少なくとも一方をこのたばこパックの上部に向かって内側へと曲げるように構成されていることを特徴とするたばこパックを提供する。
【００１６】
このたばこパックが、箱の上面と前面との縁に沿って位置する第１の凹状に湾曲した部分と、箱の上面と後面との縁に沿って位置する第２の凹状に湾曲した部分とを有し、第１および第２の凹状に湾曲した部分が、それぞれ前面および後面をこのたばこパックの上部に向かって内側へと曲げるように構成されることが好ましい。
【００１７】
凹状に湾曲した部分が、同じ寸法であることが好ましい。
【００１８】
このたばこパックが、箱の長手方向の面のうちの少なくとも１つにヒンジでつながった蓋をさらに備えていることが好ましい。
【００１９】
さらに本発明は、上述のたばこパックを製作するための素材を提供する。
【００２０】
理解されるとおり、本発明は、先行技術に対するいくつかの利点を提供する。
例えば、本発明によるたばこパックの弓形の前面は、得られるたばこパックを衣服のポケットにての持ち運びの際により快適にする。
さらに、本発明によるたばこパックは内側へと曲がった前面を備えているため、蓋が閉じられたときに、蓋が前面の曲がりによって生じた突出部に押し付けられる。
結果として、この突出部が蓋を閉じた状態へと付勢することで、蓋の「スマイリング」の問題が軽減される。
最後に、蓋の上面に湾曲した前側の折り目および後ろ側の折り目を備える本発明の実施例は、形状を柔らかくする凹状の部分を蓋にも備えることで、ユーザがたばこパックを自身のポケットにて持ち運ぶときに感じる快適さの向上に貢献する。
本発明の他の利点は、以下の具体的な説明を検討することによって明らかになるであろう。
【００２１】
次に、本発明のいくつかの具体的な実施例を添付の図面を参照して説明する。
【図面の簡単な説明】
【００２２】
【図１】本発明の第１実施例によるヒンジ蓋方式のたばこパックの斜視図。
【図２】図１のヒンジ蓋方式のたばこパックの平面図。
【図３】図１のヒンジ蓋方式のたばこパックの正面図。
【図４】図１のヒンジ蓋方式のたばこパックの側面図。
【図５】図１のヒンジ蓋方式のたばこパックを製作するために使用される素材の図。
【図５ａ】図１のヒンジ蓋方式のたばこパックのためのパック用襟首として使用される素材の図。
【図６】本発明の第２実施例によるヒンジ蓋方式のたばこパックの斜視図。
【図７】図６のヒンジ蓋方式のたばこパックの平面図。
【図８】図６のヒンジ蓋方式のたばこパックの正面図。
【図９】図６のヒンジ蓋方式のたばこパックの側面図。
【図１０】図６のヒンジ蓋方式のたばこパックを製作するために使用される素材の図。
【図１１】本発明の第３実施例によるヒンジ蓋方式のたばこパックの斜視図。
【図１２】図１１のヒンジ蓋方式のたばこパックの平面図。
【図１３】図１１のヒンジ蓋方式のたばこパックの正面図。
【図１４】図１１のヒンジ蓋方式のたばこパックの側面図。
【図１５】図１１のヒンジ蓋方式のたばこパックを製作するために使用される素材の図。
【発明を実施するための形態】
【００２３】
図１は、本発明の第１実施例によるヒンジ蓋方式のたばこパック１００の斜視図である。
たばこパック１００が、本体１０１と蓋１０２とを備えている。
本体１０１が、弓形の前面１０３と、アーチ形の縁を有する斜面１０６と、側面１０７と、底面１１０とを備えている。
蓋１０２が、前面１０５と、凹状の前面部分１０８と、アーチ形の縁を有する斜面１１１と、上面１０４と、側面１１２とを備えている。
【００２４】
アーチ形の縁を有する斜面１０６は、弓形の前面１０３の両側に位置している。
アーチ形の縁を有する斜面１０６のアーチ形の折り目１０６ａ、アーチ形の折り目１０６ｂによって、図４に示されるとおり、たばこパック１００の本体１０１の前面１０３の内側への曲がりが生じている。
アーチ形の縁を有する斜面１１１のアーチ形の折り目１０６ｃ、アーチ形の折り目１０６ｄにより、たばこパック１００の蓋１０２の前面１０５が、図４に示されるとおり、前面１０５の曲がりが蓋１０２の底部へと続くようにされている。
さらに、上面１０４の縁を形成している湾曲した前側の折り目１０４ａおよび後ろ側の折り目１０４ｂが、図２に示されるとおり、凹状の前面部分１０８およびわずかに凹状の後面部分１１３を生じさせている。
【００２５】
図２は、本発明の第１実施例によるヒンジ蓋方式のたばこパック１００の平面図である。
見て取ることができるとおり、上面１０４が、アーチ形の縁を有する複数の斜面１０６の上縁と、複数の側面１０７の上縁と、湾曲した前側の折り目１０４ａと、湾曲した後ろ側の折り目１０４ｂとによって定められている。
湾曲した前側の折り目１０４ａが、たばこパック１００の上部の輪郭を柔らかくする凹状の前面部分１０８を生じさせている。
同様に、湾曲した後ろ側の折り目１０４ｂが、わずかな凹状の後面部分１１３を生じさせている。
凹状の後面部分１１３と凹状の前面部分１０８とが、たばこパック１００の上縁の軟化をもたらしている。
この上縁の軟化により、たばこパック１００をユーザの衣服のポケットにおいてより快適に持ち運ぶことができる。
【００２６】
理解されるとおり、湾曲した前側の折り目１０４ａの奥行き（Ｆ１）と湾曲した後ろ側の折り目１０４ｂの奥行き（Ｒ２）とが、それぞれ凹状の前面部分１０８と凹状の後面部分１１３との形状および角度を左右する。
【００２７】
図３は、本発明の第１実施例によるヒンジ蓋方式のたばこパック１００の正面図である。
図３から見て取ることができるとおり、アーチ形の縁を有する前側の斜面１０６は、たばこパック１００の本体１０１の右側および左側の両方の最も前側の側面１０７と、真っ直ぐで垂直な折り目を共有している。
アーチ形の縁を有する前側の斜面１０６の各々は、湾曲した折り目１０６ａ、湾曲した折り目１０６ｂも有している。
湾曲した折り目１０６ａと湾曲した折り目１０６ｂとは、図４に示されるように、前面１０３を内側へと曲げるように協働する。
【００２８】
同様に、やはり図３に見て取ることができるとおり、アーチ形の縁を有する前側の斜面１１１は、たばこパック１００の蓋１０２の右側および左側の最も前側の側面１０７と、真っ直ぐで垂直な折り目を共有している。
アーチ形の縁を有する前側の斜面１１１の各々は、湾曲した折り目１０６ｃ、湾曲した折り目１０６ｄも有している。
湾曲した折り目１０６ｃおよび湾曲した折り目１０６ｄは、前面１０３の曲がりが蓋１０２の前面１０５の下部へと続くように協働する。
【００２９】
やはり図３に示されるとおり、蓋１０２の前面１０５は、蓋１０２の上面１０４の湾曲した折り目１０４ａよって生じる弓形の領域（１０８）を備えている。
図４に示されるとおり、弓形の領域（１０８）は、より丸みを帯びたたばこパック１００の外形を生み出す。
さらに、弓形の前面１０３と弓形の前面１０５とが、たばこパック１００に尻ポケットに入れる携帯用酒入れによく似た形状をもたらしている。
この形状の結果として、たばこパック１００が、公知のたばこパックと比べ、ユーザの衣服のポケットにおいて持ち運ぶために大幅に快適である。
【００３０】
図４が、本発明の第１実施例によるたばこパック１００の側面図である。
たばこパック１００が、真っ直ぐな後面１１４と、真っ直ぐな底面１１０と、真っ直ぐな上面１０４と、複数の側面１０７、１１２とを備えている。
理解できるとおり、これらの面の各々は、必ずしも真っ直ぐでなくてもよい。
たばこパック１００の本体１０１の前面１０３は、内側へと曲がっている。
たばこパック１００の蓋１０２の前面１０５は、凹状の領域１０８に達するまで、たばこパック１００の本体１０１の前面１０３の形状を続けている。
たばこパック１００の本体１０１の弓形の前面１０３とたばこパック１００の蓋１０２の弓形の前面１０５の下部との連続性（すなわち、本体１０１が蓋１０２に出会う地点の付近の連続性）は、それぞれ湾曲した折り目１０６ａと湾曲した折り目１０６ｃ、ならびに、湾曲した折り目１０６ｂと湾曲した折り目１０６ｄとの間の連続性によってもたらされている。
やはり、凹状の領域（１０８）が、たばこパック１００の蓋１０２の上面１０４の上部の湾曲した折り目１０４ａによってもたらされている。
【００３１】
図５が、図１〜図４のたばこパック１００を製作するための素材１２０を示している。
素材１２０は、折り目（破線によって表されている）および切れ目（実線によって表されている）によって隔てられた複数のパネルを備えている。
パネル１０５’が、たばこパック１００の蓋１０２の前面１０５へと接続されている。
アーチ形の縁を有する前側の斜面１１１が、折り目１０６ｃと折り目１０６ｄとによって前面１０５へと接続されている。
アーチ形の縁を有する前側の斜面１１１は、たばこパック１００の蓋１０２の両側の側面１０７へと接続されている。
前面１０５は、湾曲した折り目１０４ａによって上面１０４へと接続されている。
【００３２】
上面１０４は、湾曲した折り目１０４ｂによってたばこパック１００の蓋１０２の凹状の後面部分１１３へと接続されている。
凹状の後面部分１１３の両側において、補強用の側面１０７ａが外方向へと広がっている。
補強用の側面１０７ａの各々は、上縁に固定タブ１０７ａ’を備えている。
たばこパック１００の蓋１０２の凹状の後面部分１１３は、折り目１１７によってたばこパック１００の本体１０１の後面１１４へと接続されている。
後面１１４の両側において、補強用の側面１０７ｂが外方向へと広がっている。
補強用の側面１０７ｂの各々は、下縁に固定タブ１０７ｂ’を備えている。
底面１１０が、折り目１１８によって後面１１４へと接続されている。
理解できるとおり、本発明によるたばこパック１００の底面１１０は、たばこパック１００の側面１０７、１１２の形状に応じて、任意の適切な形状であってよい。
例えば、底面１１０の形状は、実質的に矩形であってよい。
【００３３】
底面１１０は、折り目１１９によってたばこパック１００の本体１０１の前面１０３へと接続されている。
前面１０３は、折り目１０６ａと折り目１０６ｂとによって、アーチ形の縁を有する前側の斜面１０６へと接続されている。
側面１０７が、アーチ形の縁を有する前側の斜面１０６の真っ直ぐな縁から外方向に広がっている。
【００３４】
次に、図５を参照し、素材１２０を折り曲げる方法を説明する。
第１に、後面１１４が、折り目１１８を中心にして底面１１０に対して直角に折り曲げられる。
次いで、固定タブ１０７ｂ’が、底面１１０の内側へと固定される。
固定タブ１０７ｂ’を接着および接合（ただし、これらに限られるわけではない）などの任意の公知の手段によって底面１１０へと固定することができる。
【００３５】
次いで、前面１０３が、折り目１１９を中心にして底面１１０に対して直角に折り曲げられる。
側面１０７が、対応する補強用の側面１０７ｂの周囲に巻き付けられ、補強用の側面１０７ｂへと固定される。
今や前面１０３と、底面１１０と、後面１１４とが、たばこパック１００の本体１０１の主要部分を形成している。
この時点で、後部パネル１２３が少なくとも部分的に重なり合うように、襟首部分１２４（図５ａに示されている）が折り返される。
次いで、後部パネル１２３を公知の方法によって互いに固定することができる。
次いで、襟首部分１２４が、折り目１２１ａと折り目１２１ｂとが折り目１０６ａと折り目１０６ｂとにそれぞれ隣接し、補強用の側面１０７ｂが襟首部分１２４の側面１２２に重なるように、たばこパック１００の本体１０１の主要部分へと挿入される。
理解されるとおり、襟首部分１２４は、たばこパック１００の美観に貢献する一方で、特にはたばこパック１００の本体１０１の内周を完全に巡って延び、たばこパック１００の本体１０１の内周へと固定可能であるため、たばこパック１００の径方向の強度も向上させる。
【００３６】
ひとたびたばこパック１００の本体１０１が生成されると、パネル１０５’が、前面１０５に対して１８０度の角度に折り曲げられ、前面１０５の内面へと固定される。
次いで、前面１０５が、湾曲した折り目１０４ａに沿って上面１０４に対して直角に折り曲げられる。
次いで、上面１０４が、湾曲した折り目１０４ｂに沿って凹状の後面部分１１３に対して直角に折り曲げられる。
次いで、固定タブ１０７ａ’が、上面１０４の内側へと固定される。
固定タブ１０７ａ’を接着および接合（ただし、これらに限られるわけではない）などの任意の公知の手段によって上面１０４へと固定することができる。
次いで、蓋１０２の側面１０７が、対応する補強用の側面１０７ａの周囲に巻き付けられ、補強用の側面１０７ａへと固定される。
【００３７】
理解されるとおり、素材１２０が、最初にボール紙から切り出されるときは平坦である一方で、湾曲した折り目１０４ａ、湾曲した折り目１０４ｂ、湾曲した折り目１０６ａ、湾曲した折り目１０６ｂ、湾曲した折り目１０６ｃ、および湾曲した折り目１０６ｄが、弓形の前面１０３と弓形の前面１０５、ならびに、凹状の前面部分１０８と凹状の後面部分１１３とをもたらす。
【００３８】
図６が、本発明の第２実施例によるヒンジ蓋方式のたばこパック２００の斜視図である。
たばこパック２００が、本体２０１と蓋２０２とを備えている。
本体２０１が、弓形の前面２０３と、アーチ形の縁を有する斜面２０６と、側面２０７と、底面２１０とを備えている。
蓋２０２が、前面２０５と、凹状の前面部分２０８と、アーチ形の縁を有する斜面２１１と、上面２０４と、側面２１２とを備えている。
【００３９】
アーチ形の縁を有する斜面２０６は、弓形の前面２０３の両側に位置している。
アーチ形の縁を有する斜面２０６のアーチ形の折り目２０６ａ、アーチ形の折り目２０６ｂによって、図９に示されるとおり、たばこパック２００の本体２０１の前面２０３の内側への曲がりが生じている。
アーチ形の縁を有する斜面２１１のアーチ形の折り目２０６ｃ、アーチ形の折り目２０６ｄにより、たばこパック２００の蓋２０２の前面２０５が、図９に示されるとおり、前面２０５の曲がりが蓋２０２の底部へと続くようにされている。
さらに、上面２０４の縁を形成している湾曲した前側の折り目２０４ａが、図７に示されるとおり、凹状の前面部分２０８を生じさせている。
この第２実施例においては、上面２０４の後ろ側の折り目２０４ｂが内側へと湾曲してはいないため、蓋２０２の後面部分２１３が凹状になっていない。
【００４０】
図７は、本発明の第２実施例によるヒンジ蓋方式のたばこパック２００の平面図である。
見て取ることができるとおり、上面２０４が、アーチ形の縁を有する複数の斜面２１１の上縁と、複数の側面２０７の上縁と、湾曲した前側の折り目２０４ａと、真っ直ぐな後ろ側の折り目２０４ｂとによって定められている。
湾曲した前側の折り目２０４ａが、たばこパック２００の前面２０５の上部の輪郭を柔らかくする凹状の前面部分２０８を生じさせている。
凹状の前面部分２０８が、たばこパック２００の上部の前縁の軟化をもたらしている。
この上部の前縁の軟化により、たばこパック２００をユーザの衣服のポケットにおいてより快適に持ち運ぶことができる。
【００４１】
理解されるとおり、湾曲した前側の折り目２０４ａの奥行き（Ｆ２）が、凹状の前面部分２０８の形状および角度を左右する。
【００４２】
図８が、本発明の第２実施例によるヒンジ蓋方式のたばこパック２００の正面図である。
図８から見て取ることができるとおり、アーチ形の縁を有する前側の斜面２０６は、たばこパック２００の本体２０１の右側および左側の両方の最も前側の側面２０７と、真っ直ぐで垂直な折り目を共有している。
アーチ形の縁を有する前側の斜面２０６の各々は、湾曲した折り目２０６ａ、湾曲した折り目２０６ｂも有している。
湾曲した折り目２０６ａと湾曲した折り目２０６ｂとは、図９に示されるように、前面２０３を内側へと曲げるように協働する。
【００４３】
同様に、やはり図８に見て取ることができるとおり、アーチ形の縁を有する前側の斜面２１１は、たばこパック２００の蓋２０２の右側および左側の最も前側の側面２０７と、真っ直ぐで垂直な折り目を共有している。
アーチ形の縁を有する前側の斜面２１１の各々は、湾曲した折り目２０６ｃ、湾曲した折り目２０６ｄも有している。
湾曲した折り目２０６ｃと湾曲した折り目２０６ｄとが、図９に示されるように、前面２０５を内側へと曲げるように協働する。
【００４４】
やはり図８に示されるとおり、蓋の前面２０５は、蓋２０２の上面２０４の湾曲した折り目２０４ａよって生じる弓形の（または、凹状の）領域（２０８）を備えている。
図９に示されるとおり、弓形の領域（２０８）は、より丸みを帯びたたばこパック２００の外形を生み出す。
さらに、弓形の前面２０３と弓形の前面２０５とが、たばこパック２００に尻ポケットに入れる携帯用酒入れによく似た形状をもたらしている。
したがって、たばこパック２００が、公知のたばこパックと比べ、ユーザの衣服のポケットにおいて持ち運ぶために大幅に快適である。
【００４５】
図９は、本発明の第２実施例によるたばこパック２００の側面図である。
たばこパック２００が、真っ直ぐな後面２１４と、真っ直ぐな底面２１０と、真っ直ぐな上面２０４と、複数の側面２０７とを備えている。
たばこパック２００の本体２０１の前面２０３は、内側へと曲がっている。
たばこパック２００の蓋２０２の前面２０５は、凹状の領域（２０８）に達するまで、たばこパック２００の本体２０１の前面２０３の形状を続けている。
たばこパック２００の本体２０１の弓形の前面２０３とたばこパック２００の蓋２０２の弓形の前面２０５の下部との連続性（すなわち、本体２０１が蓋２０２に出会う地点の付近の連続性）は、それぞれ湾曲した折り目２０６ａと湾曲した折り目２０６ｃ、ならびに、湾曲した折り目２０６ｂと湾曲した折り目２０６ｄとの間の連続性によってもたらされている。
やはり、凹状の領域（２０８）が、たばこパック２００の蓋２０２の上面２０４の湾曲した折り目２０４ａによってもたらされている。
本発明の第２実施例においては、後ろ側の折り目２０４ｂが湾曲していないため、蓋２０２の後面部分２１３が凹状にならない。
【００４６】
図１０が、図６〜図９のたばこパック２００を製作するための素材２２０を示している。
素材２２０は、折り目（破線によって表されている）および切れ目（実線によって表されている）によって隔てられた複数のパネルを備えている。
パネル２０５’が、たばこパック２００の蓋２０２の前面２０５へと接続されている。
アーチ形の縁を有する前側の斜面２１１が、折り目２０６ｃと折り目２０６ｄとによって前面２０５へと接続されている。
アーチ形の縁を有する前側の斜面２１１は、たばこパック２００の蓋２０２の両側の側面２０７へと接続されている。
前面２０５は、湾曲した折り目２０４ａによって上面２０４へと接続されている。
【００４７】
上面２０４は、真っ直ぐな折り目２０４ｂによってたばこパック２００の蓋２０２の後面部分２１３へと接続されている。
後面部分２１３の両側において、補強用の側面２０７ａが外方向へと広がっている。
補強用の側面２０７ａの各々は、上縁に固定タブ２０７ａ’を備えている。
たばこパック２００の蓋２０２の後面部分２１３は、折り目２１７によってたばこパック２００の本体２０１の後面２１４へと接続されている。
後面２１４の両側において、補強用の側面２０７ｂが外方向へと広がっている。
補強用の側面２０７ｂの各々は、下縁に固定タブ２０７ｂ’を備えている。
底面２１０が、折り目２１８によって後面２１４へと接続されている。
理解されるとおり、本発明によるたばこパック２００の底面２１０は、たばこパック２００の側面２０７、２１２の形状に応じて、任意の適切な形状であってよい。
例えば、底面の形状は、実質的に矩形であってよい。
【００４８】
底面２１０は、折り目２１９によってたばこパック２００の本体２０１の前面２０３へと接続されている。
前面２０３は、折り目２０６ａと折り目２０６ｂとによって、アーチ形の縁を有する前側の斜面２０６へと接続されている。
側面２０７が、アーチ形の縁を有する前側の斜面２０６の真っ直ぐな縁から外方向に広がっている。
【００４９】
次に、図１０を参照し、素材２２０を折り曲げる方法を説明する。
第１に、後面２１４が、折り目２１８を中心にして底面２１０に対して直角に折り曲げられる。
次いで、固定タブ２０７ｂ’が、底面２１０の内側へと固定される。
固定タブ２０７ｂ’を接着および接合（ただし、これらに限られるわけではない）などの任意の公知の手段によって底面２１０へと固定することができる。
【００５０】
次いで、前面２０３が、折り目２１９を中心にして底面２１０に対して直角に折り曲げられる。
側面２０７が、対応する補強用の側面２０７ｂの周囲に巻き付けられ、補強用の側面２０７ｂへと固定される。
今や前面２０３と、底面２１０と、後面２１４とが、たばこパック２００の本体２０１の主要部分を形成している。
この時点で、図５ａに示したとおりの襟首部分１２４が、本発明の第１実施例に関して説明したやり方と同じやり方で、たばこパック２００の本体２０１へと挿入される。
理解されるとおり、襟首部分１２４は、たばこパック２００の美観に貢献する一方で、特にはたばこパック２００の本体２０１の内周を完全に巡って延びることで、たばこパック２００の径方向の強度も向上させる。
【００５１】
ひとたびたばこパック２００の本体２０１が生成されると、パネル２０５’が、前面２０５に対して１８０度の角度に折り曲げられ、前面２０５の内面へと固定される。
次いで、前面２０５が、湾曲した折り目２０４ａに沿って上面２０４に対して直角に折り曲げられる。
次いで、上面２０４が、真っ直ぐな折り目２０４ｂに沿って後面部分２１３に対して直角に折り曲げられる。
次いで、固定タブ２０７ａ’が、上面２０４の内側へと固定される。
固定タブ２０７ａ’を接着および接合（ただし、これらに限られるわけではない）などの任意の公知の手段によって上面２０４へと固定することができる。
次いで、蓋２０２の側面２０７が、対応する補強用の側面２０７ａの周囲に巻き付けられ、補強用の側面２０７ａへと固定される。
【００５２】
理解されるとおり、素材２２０が、最初にボール紙から切り出されるときは平坦である一方で、湾曲した折り目２０４ａ、湾曲した折り目２０６ａ、湾曲した折り目２０６ｂ、湾曲した折り目２０６ｃ、および湾曲した折り目２０６ｄが、弓形の前面２０３、弓形の前面２０５、ならびに、凹状の前面部分２０８をもたらす。
【００５３】
図１１は、本発明の第３実施例によるヒンジ蓋方式のたばこパック３００の斜視図である。
たばこパック３００が、本体３０１と蓋３０２とを備えている。
本体３０１が、弓形の前面３０３と、アーチ形の縁を有する斜面３０６と、側面３０７と、底面３１０とを備えている。
蓋３０２が、前面３０５と、アーチ形の縁を有する斜面３１１と、上面３０４と、側面３１２とを備えている。
【００５４】
アーチ形の縁を有する斜面３０６は、弓形の前面３０３の両側に位置している。
アーチ形の縁を有する斜面３０６のアーチ形の折り目３０６ａ、アーチ形の折り目３０６ｂによって、図１４に示されるとおり、たばこパック３００の本体３０１の前面３０３の内側への曲がりが生じている。
アーチ形の縁を有する斜面３１１のアーチ形の折り目３０６ｃ、アーチ形の折り目３０６ｄにより、たばこパック３００の蓋３０２の前面３０５が、図１４に示されるとおり、前面３０５の曲がりが蓋１０２へと続くようにされている。
【００５５】
図１２が、本発明の第３実施例によるヒンジ蓋方式のたばこパック３００の平面図である。
見て取ることができるとおり、上面３０４が、アーチ形の縁を有する複数の斜面３０６の上縁と、複数の側面３０７の上縁と、前側の折り目３０４ａと、後ろ側の折り目３０４ｂとによって定められている。
理解されるとおり、上述した第１実施例および第２実施例と異なり、本発明の第３実施例は、たばこパック３００の蓋３０２の上面３０４に内側へと湾曲した折り目を備えていない。
したがって、図１４に示されるように、前面３０３と前面３０５との曲がりが、たばこパック３００の実質的に底面３１０からたばこパック３００の実質的に上面３０４まで延びる。
【００５６】
図１３が、本発明の第３実施例によるヒンジ蓋方式のたばこパック３００の正面図である。
図１３から見て取ることができるとおり、アーチ形の縁を有する前側の斜面３０６は、たばこパック３００の本体３０１の右側および左側の両方の最も前側の側面３０７と、真っ直ぐで垂直な折り目を共有している。
アーチ形の縁を有する前側の斜面３０６の各々は、湾曲した折り目３０６ａ、湾曲した折り目３０６ｂも有している。
湾曲した折り目３０６ａと湾曲した折り目３０６ｂとは、図１４に示されるように、前面３０３を内側へと曲げるように協働する。
【００５７】
同様に、やはり図１３に見て取ることができるとおり、アーチ形の縁を有する前側の斜面３１１が、たばこパック３００の蓋３０２の右側および左側の最も前側の側面３０７と、真っ直ぐで垂直な折り目を共有している。
アーチ形の縁を有する前側の斜面３１１の各々は、湾曲した折り目３０６ｃ、湾曲した折り目３０６ｄも有している。
湾曲した折り目３０６ｃと湾曲した折り目３０６ｄとが、図１４に示されるように、前面３０５を内側へと曲げるように協働する。
【００５８】
図１４が、本発明の第３実施例によるたばこパック３００の側面図である。
たばこパック３００が、真っ直ぐな後面３１４と、真っ直ぐな底面３１０と、真っ直ぐな上面３０４と、複数の側面３０７とを備えている。
理解されるとおり、これらの面は、真っ直ぐである必要はない。
たばこパック３００の本体３０１の前面３０３は、内側へと曲がっている。
たばこパック３００の蓋３０２の前面３０５は、たばこパック３００の本体３０１の前面３０３の形状を続けている。
たばこパック３００の本体３０１の弓形の前面３０３とたばこパック３００の蓋３０２の弓形の前面３０５の下部との連続性（すなわち、本体３０１が蓋３０２に出会う地点の付近の連続性）は、それぞれ湾曲した折り目３０６ａと湾曲した折り目３０６ｃ、ならびに、湾曲した折り目３０６ｂと湾曲した折り目３０６ｄとの間の連続性によってもたらされている。
【００５９】
図１５が、図１１〜図１４のたばこパック３００を製作するための素材３２０を示している。
素材３２０は、折り目（破線によって表されている）および切れ目（実線によって表されている）によって隔てられた複数のパネルを備えている。
パネル３０５’が、たばこパック３００の蓋３０２の前面３０５へと接続されている。
アーチ形の縁を有する前側の斜面３１１が、折り目３０６ｃと折り目３０６ｄとによって前面３０５へと接続されている。
アーチ形の縁を有する前側の斜面３１１は、たばこパック３００の蓋３０２の両側の側面３０７へと接続されている。
前面３０５は、折り目３０４ａによって上面３０４へと接続されている。
【００６０】
上面３０４は、折り目３０４ｂによってたばこパック３００の蓋３０２の後面部分３１３へと接続されている。
後面部分３１３の両側において、補強用の側面３０７ａが外方向へと広がっている。
補強用の側面３０７ａの各々は、上縁に固定タブ３０７ａ’を備えている。
たばこパック３００の蓋３０２の後面部分３１３は、折り目３１７によってたばこパック３００の本体３０１の後面３１４へと接続されている。
後面３１４の両側において、補強用の側面３０７ｂが外方向へと広がっている。
補強用の側面３０７ｂの各々は、下縁に固定タブ３０７ｂ’を備えている。
底面３１０が、折り目３１８によって後面３１４へと接続されている。
理解されるとおり、本発明によるたばこパック３００の底面３１０は、たばこパック３００の側面３０７、３１２の形状に応じて、任意の適切な形状であってよい。
例えば、底面３１０の形状は、実質的に矩形であってよい。
【００６１】
底面３１０は、折り目３１９によってたばこパック３００の本体３０１の前面３０３へと接続されている。
前面３０３は、折り目３０６ａと折り目３０６ｂとによって、アーチ形の縁を有する前側の斜面３０６へと接続されている。
側面３０７が、アーチ形の縁を有する前側の斜面３０６の真っ直ぐな縁から外方向に広がっている。
【００６２】
次に、図１５を参照し、素材３２０を折り曲げる方法を説明する。
第１に、後面３１４が、折り目３１８を中心にして底面３１０に対して直角に折り曲げられる。
次いで、固定タブ３０７ｂ’が、底面３１０の内側へと固定される。
固定タブ３０７ｂ’を接着および接合（ただし、これらに限られるわけではない）などの任意の公知の手段によって底面３１０へと固定することができる。
【００６３】
次いで、前面３０３が、折り目３１９を中心にして底面３１０に対して直角に折り曲げられる。
側面３０７が、対応する補強用の側面３０７ｂの周囲に巻き付けられ、補強用の側面３０７ｂへと固定される。
今や前面３０３と、底面３１０と、後面３１４とが、たばこパック３００の本体３０１の主要部分を形成している。
この時点で、図５ａに示したとおりの襟首部分１２４が、本発明の第１実施例に関して説明したやり方で、たばこパック３００の本体３０１へと挿入される。
理解されるとおり、襟首部分１２４は、たばこパック３００の美観に貢献する一方で、特にはたばこパック３００の本体３０１の内周を完全に巡って延びることで、たばこパック３００の径方向の強度も向上させる。
【００６４】
ひとたびたばこパック３００の本体３０１が生成されると、パネル３０５’が、前面３０５に対して１８０度の角度に折り曲げられ、前面３０５の内面へと固定される。
次いで、前面３０５が、折り目３０４ａに沿って上面３０４に対して直角に折り曲げられる。
次いで、上面３０４が、折り目３０４ｂに沿って後面部分３１３に対して直角に折り曲げられる。
次いで、固定タブ３０７ａ’が、上面３０４の内側へと固定される。
固定タブ３０７ａ’を接着および接合（ただし、これらに限られるわけではない）などの任意の公知の手段によって上面３０４へと固定することができる。
次いで、蓋３０２の側面３０７が、対応する補強用の側面３０７ａの周囲に巻き付けられ、補強用の側面３０７ａへと固定される。
素材３２０が、最初にボール紙から切り出されるときは平坦である一方で、湾曲した折り目３０６ａ、湾曲した折り目３０６ｂ、湾曲した折り目３０６ｃ、および湾曲した折り目３０６ｄが、弓形の前面３０３および前面３０５をもたらす。
【００６５】
当業者であれば理解できるとおり、アーチ形の縁を有する前側の斜面１０６、アーチ形の縁を有する前側の斜面２０６、アーチ形の縁を有する前側の斜面３０６、およびアーチ形の縁を有する前側の斜面１１１、アーチ形の縁を有する前側の斜面２１１、アーチ形の縁を有する前側の斜面３１１が、たばこパック１００の本体１０１、たばこパック２００の本体２０１、たばこパック３００の本体３０１、および蓋１０２、蓋２０２、蓋３０２の右側および左側の両方の最も前側の側面１０７、最も前側の側面２０７、最も前側の側面３０７と真っ直ぐで垂直な折り目を共有しているため、本明細書に記載のいずれの実施例によるたばこパック１００〜３００の側面も、長円形である必要はなく、複数の側面１０７、側面２０７、側面３０７を備える。
例えば、本発明によるたばこパックの側面は、単に直線であって、上方から見たときに矩形の外形を有するたばこパックをもたらしてもよい。
さらに、たばこパックの側面が斜面で構成される実施例においては、任意の数の斜面を各側に使用することができる。
【００６６】
上述の実施例に関して説明された特徴をさまざまなやり方で組み合わせることが可能であることを当業者であれば理解できるであろう。
例えば、本発明によるたばこパックは、弓形の前面、凹状の前面、および／または、後面を備える蓋部分、あるいはこれらの組み合わせを備えることができる。
【００６７】
やはり当業者であれば理解できるとおり、本発明のたばこパックの望ましい形状は、蓋の位置、または、構成とは無関係である。
例えば、本発明によるたばこパックは、これらに限られるわけではないが、たばこパックの側面から開く蓋や、たばこパックの前面全体を覆う蓋など、さまざまな種類の蓋を備えることができる。
【図１】
2013527089.tif 000003
【図２】
2013527089.tif 000004
【図３】
2013527089.tif 000005
【図４】
2013527089.tif 000006
【図５】
2013527089.tif 000007
【図５ａ】
2013527089.tif 000008
【図６】
2013527089.tif 000009
【図７】
2013527089.tif 000010
【図８】
2013527089.tif 000011
【図９】
2013527089.tif 000012
【図１０】
2013527089.tif 000013
【図１１】
2013527089.tif 000014
【図１２】
2013527089.tif 000015
【図１３】
2013527089.tif 000016
【図１４】
2013527089.tif 000017
【図１５】
2013527089.tif 000018
【国際調査報告】
2013527089.tif 000019
2013527089.tif 000020